(57)【要約】【課題】客が購入する医薬品等の商品について説明書等の情報提供を義務づけられている商品と義務付けられていない商品の登録及び会計処理を行う際に、情報提供が義務付けられている商品について誰でも商品の情報提供を容易に且つ確実に実施できる販売処理装置を提供すること。【解決手段】お客が購入する商品を登録し会計処理を行う販売処理装置１であって、少なくとも、商品識別番号、価格、を記憶する商品ファイルと、商品の説明書を印刷するか印刷しないかを識別する第１のフラグを商品毎或いは分類毎に記憶する記憶手段と、商品の説明書を商品識別番号と関連付けて記憶する商品説明書ファイルと、商品の説明書を印刷する印刷手段と、商品の登録時、記憶手段に記憶されている第１のフラグを参照し、該第１のフラグが印刷するになっている場合、商品説明書ファイルの当該商品識別番号に対応する商品の説明書を印刷手段により印刷する制御手段とを備えた。【選択図】図１
2010170218.tif 000002
【特許請求の範囲】
【請求項１】
操作画面を備え、お客が購入する商品を登録し会計処理を行う販売処理装置であって、
少なくとも、商品識別番号、価格、を記憶する商品ファイルと、
前記商品の説明書を印刷するか印刷しないかを識別する第１のフラグを商品毎或いは分類毎に記憶する記憶手段と、
前記商品の説明書を前記商品識別番号と関連付けて記憶する商品説明書ファイルと、
前記商品の説明書を印刷する印刷手段と、
前記商品の登録時、前記記憶手段に記憶されている第１のフラグを参照し、該第１のフラグが印刷するになっている場合、前記商品説明書ファイルの当該商品識別番号に対応する商品の説明書を前記印刷手段により印刷する制御手段と、を備えたことを特徴とする販売処理装置。
【請求項２】
請求項１に記載の販売処理装置において、
前記制御手段は、前記商品の登録時以外にも前記商品の説明書を印刷するモードを備えていることを特徴とする販売処理装置。
【請求項３】
請求項１又は２に記載の販売処理装置において、
前記商品の説明書は、前記商品に関するインデックスを備えていることを特徴とする販売処理装置。
【請求項４】
請求項１乃至３のいずれか１項に記載の販売処理装置において、
前記インデックスは予め記憶している複数のタイプから選択できることを特徴とする販売処理装置。
【請求項５】
請求項１乃至４のいずれか１項に記載の販売処理装置において、
前記商品の登録時、前記商品ファイルの商品説明書の有無が「有」の場合、前記操作画面に商品説明書の印刷を行うか否かの選択画面を表示する選択画面表示手段を備えたことを特徴とする販売処理装置。
【請求項６】
請求項５に記載の販売処理装置において、
前記記憶手段に、自動印刷するか又は確認印刷するかを識別する第２のフラグを商品毎或いは分類毎に記憶し、前記商品の登録時に該第２のフラグが自動印刷するの場合、前記選択画面表示手段による選択画面を表示することなく、当該商品の説明書の印刷を行うことを特徴とする販売処理装置。
【請求項７】
請求項１乃至６のいずれか１項に記載の販売処理装置において、
前記記憶手段には、前記第１のフラグ及び第２のフラグを前記商品ファイル或いは商品が属する分類で記憶することを特徴とする販売処理装置。
【発明の詳細な説明】
【技術分野】
【０００１】
本発明は小売店等において、お客が購入する医薬品等の商品の登録及び会計処理を行う販売処理装置に関するものである。
【背景技術】
【０００２】
２００９年６月に完全実施される改正薬事法では、コンビニエンスストア等の一般の商店でも、一般医薬品の販売ができるようになる等、医薬品販売の規制が緩和される。この薬事法の改正後も、第一類医薬品の販売は、薬剤師でなければ販売できないことは変わらないが、第二類医薬品と第三類医薬品の販売については、薬剤師でなくとも、都道府県が実施する試験に合格した「登録販売者」であれば販売することができるようになる。
【０００３】
また、上記規制緩和と同時に、医薬品の販売時に、販売する医薬品の情報提供が必要になる。第一類医薬品では情報提供の義務が生じ、第二類医薬品では情報提供の努力義務が生じる。そして第三類医薬品では情報提供が不要である。
【０００４】
一般医薬品は、医薬品のうち効能、効果の人体に対する作用が著しくなく、医薬関係者から提供された情報に基づき需要の選択により使用されるものと定義される。また一般医薬品は以下の三つに分類される。
【０００５】
第一類医薬品：
副作用等により日常生活に支障を来す程度の健康被害が生じるおそれのある一般医薬品のうち、特に注意が必要なもの（一部の毛髪用剤等）
第二類医薬品：
副作用等により日常生活に支障を来す程度の健康被害が生じるおそれのある一般医薬品（風邪薬、解熱、鎮痛剤等）のうち、特に注意が必要なもの
第三類医薬品：
第一類医薬品、第二類医薬品以外の一般医薬品（ビタミンＣ含有保健薬等）
【発明の概要】
【発明が解決しようとする課題】
【０００６】
上記改正薬事法の施行により、店員が医薬品を販売する際、お客が購入する医薬品が情報提供の義務がある商品か否かを、識別しなければならない。また、情報提供の義務がある商品であると識別した際、当該商品の商品説明書を用意する必要が発生する。そのため、店員は、全ての薬品に対して、情報提供の義務があるか否かを記憶しておくか、或いは医薬品の販売の都度、資料などにより情報提供の義務があるか否かを調べる必要がある。また、情報提供の義務があるか否かを全商品について記憶するにしても、その都度調べるにしても、人為的に行うことであり、情報提供が必要な医薬品販売であっても、情報提供しないで販売してしまう恐れがある。また、調査や商品説明書を用意している間に、お客を待たせてしまうという問題もあった。
【０００７】
本発明は、上述の点に鑑みてなされたもので、客が購入する医薬品等の商品について説明書等の情報提供を義務づけられている商品と義務付けられていない商品の登録及び会計処理を行う際に、情報提供が義務付けられている商品について誰でも商品の情報提供を容易に且つ確実に実施できる販売処理装置を提供することを目的とする。
【課題を解決するための手段】
【０００８】
上記課題を解決するため本発明は、操作画面を備え、お客が購入する商品を登録し会計処理を行う販売処理装置であって、少なくとも、商品識別番号、価格、を記憶する商品ファイルと、商品の説明書を印刷するか印刷しないかを識別する第１のフラグを商品毎或いは分類毎に記憶する記憶手段と、商品の説明書を商品識別番号と関連付けて記憶する商品説明書ファイルと、商品の説明書を印刷する印刷手段と、商品の登録時、記憶手段に記憶されている第１のフラグを参照し、該第１のフラグが印刷するになっている場合、商品説明書ファイルの当該商品識別番号に対応する商品の説明書を印刷手段により印刷する制御手段と、を備えたことを特徴とする。
【０００９】
また、本発明は、上記販売処理装置において、制御手段は、商品の登録時以外にも商品の説明書を印刷するモードを備えていることを特徴とする。
【００１０】
また、本発明は、上記販売処理装置において、商品の説明書は、商品に関するインデックスを備えていることを特徴とする。
【００１１】
また、本発明は、上記販売処理装置において、インデックスは予め記憶している複数のタイプから選択できることを特徴とする。
【００１２】
また、本発明は、上記販売処理装置において、商品の登録時、商品ファイルの商品説明書の有無が「有」の場合、操作画面に商品説明書の印刷を行うか否かの選択画面を表示する選択画面表示手段を備えたことを特徴とする。
【００１３】
また、本発明は、上記販売処理装置において、記憶手段に、自動印刷するか又は確認印刷するかを識別する第２のフラグを商品毎或いは分類毎に記憶し、商品の登録時に該第２のフラグが自動印刷するの場合、選択画面表示手段による選択画面を表示することなく、当該商品の説明書の印刷を行うことを特徴とする。
【００１４】
また、本発明は、上記販売処理装置において、記憶手段には、第１のフラグ及び第２のフラグを商品ファイル或いは商品が属する分類で記憶することを特徴とする。
【発明の効果】
【００１５】
商品の説明書の提出が必要な商品を登録するだけで、該商品の商品説明書を印刷することが可能となり、人為的なミス等により商品の説明書の提出が必要な商品に説明書が提出されないということがなくなる。
【００１６】
また、商品の登録時以外にも商品の説明書の印刷するモードを添えることにより、説明資料として、商品販売時に渡す説明資料を事前に印刷しておくことが可能となる。
【００１７】
また、商品の説明書は、商品に関するインデックスを備えているので、商品を購入したお客が該説明書を保管しておく場合、或い販売店側が、お客に提出する説明書を予め印刷しておく場合、説明書を探すのにインデックスを基に探すことにより、探すことが容易となる。
【００１８】
また、インデックスは予め記憶している複数のタイプから選択できるので、例えば商品の製造会社の先頭の１文字、或いは商品名の先頭の１文字等により、該商品を、「ア」、「イ」、「ウ」、「エ」、「オ」、・・・の何れに属するか。又は製造会社名や商品名そのものをインデックスとして印刷するかを選択することができる。
【００１９】
また、商品の登録時、商品ファイルの商品説明書の有無が「有」の場合、操作画面に商品説明書の印刷を行うか否かの選択画面を表示する選択画面表示手段を備えたので、説明書の提出を必要とする商品を登録すると、お客との対話により、印刷の有無を選択するだけで、容易に説明書を求めるお客に対してだけ説明書を印刷して渡すことができる。
【００２０】
また、記憶手段に第２のフラグを商品毎或いは分類毎に記憶し、商品の登録時に第２のフラグが自動印刷するの場合、当該商品の説明書の印刷を行うので、説明書を提出する義務のある商品を販売する場合、第２のフラグを自動印刷するにしておけば、説明書を印刷を行うか否かの選択画面を表示せずに説明書を印刷することができる。
【００２１】
また、記憶手段には、第１のフラグ及び第２のフラグを商品ファイル或いは商品が属する分類で記憶するので、商品が属する分類、例えば大分類、中分類、小分類と、説明書の印刷をするか否かで関連付けて分類を作れば、商品単位に、個別に説明書の印刷をするか否かを設定する必要がなくなる。
【図面の簡単な説明】
【００２２】
【図１】本発明に係る販売処理装置の外観構成例を示す図である。
【図２】本発明に係る販売処理装置のシステム構成を示すブロック図である。
【図３】商品ファイルのレイアウトを示す図である。
【図４】商品分類ファイルのレイアウトを示す図である。
【図５】商品の説明書ファイルの格納場所を示す図である。
【図６】初期設定ファイルのレイアウトを示す図である。
【図７】本発明に係る販売処理装置の第二医薬品を登録時の説明書印刷確認画面例を示す図である。
【図８】本発明に係る販売処理装置で印刷された商品の説明書の一例を示す図である。
【図９】本発明に係る販売処理装置の商品登録時の処理フローを示す図である。
【図１０】本発明に係る販売処理装置の説明書印刷モードの画面を示す図である。
【図１１】本発明に係る販売処理装置の説明書印刷モードの処理フローを示す図である。
【図１２】本発明に係る販売処理装置の説明書印刷確認画面例を示す図である。
【図１３】商品の説明書ファイルの格納場所を示す図である。
【発明を実施するための形態】
【００２３】
以下、本発明の実施の形態例を図面に基づいて詳細に説明する。図１は、本発明に係る販売処理装置の外観構成例を示す図で、図１（ａ）は正面図、図１（ｂ）は側面図である。本販売処理装置１は、店舗側操作員によって操作される液晶タッチパネル１１２と、キー操作部１１４を主な構成とする。販売処理装置１は、レシート発行口１０９、カードリーダ部１１８、プリンタ１２４、及び図示を省略するがスキャナを周辺装置として備えている。なお、本実施形態では医薬品購入の登録及び会計処理を行う販売処理装置を例に説明するが、本発明は医薬品の登録及び会計処理に限定されるものではなく、医薬品（第一類医薬品では情報提供の義務があり、第二類医薬品では情報提供の努力義務があり、第三類医薬品では情報提供が不要）のように商品購入に際し、当該商品に対する情報提供の義務、努力義務等が生じる商品の登録及び会計処理を行う販売処理装置に広く適用できる。
【００２４】
レシート発行口１０９は、販売処理装置１が内蔵するレシート印字部（ジャーナルプリンタ）によって印刷されるレシートが出てくるレシート発行口である。また、カードリーダ部１１８は、メンバーカード或いはクレジットカード等のカード利用による買い物客があったときに使用されるカードリーダ部である。また、プリンタ１２４は販売処理装置１に接続され、商品説明書を印刷するプリンタである。なお、顧客用表示部１１６、プリンタ１２４には、操作員によって販売処理装置１に登録された内容が表示され、販売処理装置１を利用する顧客に買い上げ商品や合計金額等を周知させることができるようになっている。
【００２５】
図２は、販売処理装置１のシステム構成を示すブロック図である。ＣＰＵ１００に、アドレス、データ、コントロールのための複数本のラインで構成されるシステムバス１２０を通してハードディスク部１０２、ＲＡＭ１０４、液晶タッチパネル１１２、キー操作部１１４、顧客用表示部１１６、プリンタ１２４、レシート印字部１０８、スキャナー部１１０、カードリーダ部１１８、ＣＤＲＯＭ部１２２が接続されている。ＣＰＵ１００は、各種演算及び販売処理装置１を制御する。ハードディスク部１０２にはプログラムやデータ等が格納され、ＲＡＭ１０４には販売処理装置１の動作に必要な内部データ等が格納される。
【００２６】
図３は商品ファイルのレイアウトを示す図である。図示するように、商品ファイルは、商品識別番号、商品名、商品名一文字目、価格、医薬品区分、医薬品会社名、医薬品会社名一文字目、商品分類番号、説明書（商品の説明書）ファイル名の項目を備え、各項目には下記事項が入力されている。
【００２７】
商品識別番号項目：商品識別番号が１３桁のＪＡＮコードで、ここでは「４９５８９０１２３４８９５」、「４９２２５６８４１７７５１」、「４９６７３１６０１２８２７」、「４９７７１９５５９５７２５」、「４９９８７６５０１２３４６」、「４９７７１９５５８３５１７」、「４９２５８４１７８９１２８」、「４９８７０３５０５８４１０」が入力されている。
【００２８】
商品名項目：商品の名称が、ここでは、「Ａ育毛剤」、「Ｂ発毛剤」、「Ｃ風邪薬」、「Ｄ風邪薬、Ｅ鎮痛薬」、「Ｆ鎮痛薬」、「ビタミンＣ」、「お菓子」が入力されている。
【００２９】
商品名一文字目項目：商品の名称の先頭一文字の読み方をカタカナで、ここでは「エ」、「ビ」、「シ」、「デ」、「イ」、「エ」、「ビ」、「オ」が入力されている。
【００３０】
価格項目：商品の販売価格が入力される。ここでは、「３８００」、「４８００」、「９８０」、「１０５０」、「６８０」、「８２０」、「４８０」、「１３０」が入力されている。
【００３１】
医薬品区分項目：「０」、「１」、「２」、「３」、「９」の数字が入力され、「１」は第一類医薬品、「２」は第二類医薬品、「３」は第三類医薬品、「９」は非医薬品を示す。
【００３２】
上記医薬品は医薬品区分によって処理内容が下記のように異なる。
第一類医薬品：商品登録を行うと商品の説明書を印刷する。
第二類医薬品：商品を登録すると、印刷の確認画面が表示され、実行キーを押すと、商品の説明書が印刷される。
第三類医薬品：通常の商品登録を行う。
非医薬品：通常の商品登録を行う。
【００３３】
医薬品会社名項目：医薬品の製造会社名、ここでは「Ｄ製薬」、「Ａ製薬」、「Ｓ製薬」、「Ｈ製薬」、「Ｔ製薬」、「Ｈ製薬」、「Ｋ製薬」、が入力されている。
【００３４】
医薬品会社名一文字項目：医薬品の製造会社名の先頭一文字目の読み方をカタカナ、ここでは「デ」、「エ」、「エ」、「エ」、「テ」、「エ」、「ケ」が入力されている。
【００３５】
商品分類番号項目：商品の属する分類番号が６桁の数字で、ここでは「０１１００１」、「０１１００１」、「０２３００１」、「０２３００１」、「０２３００２」、「０２３００２」、「０３４００１」、「０８０００１」が入力されている。
【００３６】
説明書ファイル名項目：商品の説明書のファイル名、ここでは「Ｄ_１_３４８９．ｐｆ」、「Ａ_１_１７７５．ｐｄｆ」、「Ｓ_２_１２８２．ｐｄｆ」、「Ｈ_２_９５７２．ｐｄｆ」、「Ｔ_２_１２３４．ｐｄｆ」、「Ｈ_２_８３５１．ｐｄｆ」、「Ｋ_３_５８４１．ｐｄｆ」が入力されている。
【００３７】
図４は商品分類ファイルのレイアウトを示す図である。図示するように、商品分類ファイルは、商品分類番号、商品分類名、医薬品区分の項目を備えている。各項目には下記の事項が入力されている。
【００３８】
商品分類番号項目：商品の属する商品分類番号が６桁の数値で、ここでは「０１１００１」、「０２３００１」、「０２３００２」、「０３４００１」、「０３４００１」が入力されている。
【００３９】
商品分類名項目：商品分類名が、ここでは「育毛剤」、「風邪薬」、「鎮痛剤」、「ビタミン類」、「健康食品」が入力されている。
【００４０】
医薬品区分項目：「１」、「２」、「３」、「９」の数字が入力され、図３の商品ファイルと同様、「１」は第一類医薬品を、「２」は第二類医薬品を、「３」は第三類医薬品を、「９」は非医薬品を示す。上記区分による処理内容は、図３の商品ファイルで記載した内容と同じである。
【００４１】
図５は商品の説明書ファイルの格納場所を示す図である。説明書ファイルは図２のハードディスク部１０２のＣドライブにｄｏｃ_ｆｉｌｅの名称のフォルダを作り、該フォルダにここでは、図３の商品ファイルの明細書ファイル名項目の「Ｄ_１_３４８９．ｐｄｆ」、「Ａ_１_１７７５．ｐｄｆ」、「Ｓ_２_１２８２．ｐｄｆ」、「Ｈ_２_９５７２．ｐｄｆ」、「Ｔ_２_１２３４．ｐｄｆ」、「Ｈ_２_８３５１．ｐｄｆ」、「Ｋ_３_５８４１．ｐｄｆ」の説明書ファイルを格納している。ハードディスク部１０２への格納方法は、説明書ファイルが入っているＣＤをＣＤＲＯＭ部１２２にセットし、ハードディスク部１０２へ格納する。
【００４２】
図６は初期設定ファイルのレイアウトを示す図である。図示するように、初期設定ファイルは、初期設定項目番号（Ｎｏ）、機能及び選択内容の項目を備えている。初期設定項目番号には「０００１」、「０００２」、「０００３」、「０００４」が入力されている。
【００４３】
上記初期設定項目番号０００１は、第一類薬品登録時、商品の説明書の印刷内容の画面表示に関する項目番号であり、「０」の場合は表示しないことを、「１」の場合は表示することを示す。
【００４４】
上記初期設定項目番号０００２は、第二類薬品登録時、印刷確認画面に商品の説明書の印刷内容の画面表示に関する項目番号であり、「０」の場合は表示しないことを、「１」の場合は表示することを示す。
【００４５】
上記初期設定項目番号０００３は、第三類薬品登録時、商品の説明書の表示、印刷に関する項目番号であり、「０」の場合は表示印刷ともしないことを、「１」の場合は表示だけをすることを、「２」の場合は印刷確認画面を表示することを、「３」の場合は、印刷内容の表示付き印刷確認画面を表示することを示す。
【００４６】
上記初期設定項目番号０００４は、商品の説明書のインデックスに印刷する文言に関する項目番号であり、「０」の場合はインデックスを付けないことを、「１」の場合は商品名を付けることを、「２」の場合は会社名を、「３」の場合は商品名の先頭文字を、「４」の場合は会社名の先頭文字を、「５」の場合は商品分類名を、「６」の場合は商品分類名＋商品名の先頭文字を、「７」の場合は会社名＋商品名の先頭文字を付けることを示す。
【００４７】
図７は第二医薬品を登録したときに表示する商品の説明書印刷確認画例を示す図である。「第二類医薬品、説明書を印刷しますか？」の文言と、「印刷する」、「印刷しない」、「戻る」のキーが表示される。「印刷する」のキーを押すと説明書がプリンタ１２４（図１及び図２参照）で印刷され、「印刷しない」のキーを押すと説明書は印刷されないで次の処理に移動する。また、「戻る」のキーを押すと一つ前の処理に戻る。
【００４８】
図８は印刷された商品の説明書の一例を示す図である。図示するように、商品の説明書には、商品の写真２０１、商品名２０２、製造メーカ２０３等が表示される。更に、使用上の注意２０４、・・・・等の項目が設けられ、該項目に該当する事項が印刷されている。明細書の右端にはインデックス印刷エリア２０５が設けられ、インデックス（図では、寺岡薬品の一文字目の「テ」が印刷されている）が印刷され、点線に沿って切り取ることにより、そのままファイルできるようになっている。これにより出力データを管理する店舗側も、印刷した説明書をもらったお客も管理し易いというメリットがある。
【００４９】
販売処理装置１は、液晶タッチパネルのメニュー画面の操作によりモード切替ができるようになっており、お客が購入する商品を登録する登録モードと、商品情報等の設定をする設定モードがある。ここでは、登録モードにて、お客が購入する商品を登録するモードを説明する。図９は商品登録時の処理フローを示す図であり、図９に基いて商品を登録するモードを説明する。
【００５０】
ステップＳＴ１００では、ハードディスク部１０２（図２参照）に格納されている初期設定ファイル（図６参照）の初期設定Ｎｏ．０００４より、商品の説明書のインデックスに印刷する文言に関する設定値を取得し、取得した設定値に応じて説明書のインデックス（０：インデックスを付けない、１：商品名、２：会社名、３：商品名の先頭文字、４：会社名の先頭文字）を印刷する。
【００５１】
ステップＳＴ１０２では、商品に付しているバーコードをスキャナー部１１０で読み取る。続いてステップＳＴ１０４では、商品ファイル（図３参照）より商品識別番号、商品名、商品名一文字目、販売価格、医薬品区分、医薬品会社名、医薬品会社名一文字目、商品分類番号、説明書ファイル名の商品データを取得する。
【００５２】
ステップＳＴ１０６では、取得した商品データの医薬品区分が「１」であるかを判断し、ノー（Ｎ）であったらステップＳＴ１０８に移行し、イエス（Ｙ）であったらステップＳＴ１１２に移行する。ステップＳＴ１１２では、商品データの説明書を印刷し、ステップＳＴ１３８に移行する。
【００５３】
前記ステップＳＴ１０８では、取得した商品データの医薬品区分が「２」であるかを判断し、ノー（Ｎ）であったらステップＳＴ１１０に移行し、イエス（Ｙ）であったらステップＳＴ１１４に移行する。ステップＳＴ１１４では、説明書印刷確認画面（図７参照）を液晶タッチパネル１１２に表示する。ステップＳＴ１１６で説明書印刷確認画面の「印刷する」のキーを押すと、ステップＳＴ１１８で商品データの説明書を印刷し、ステップＳＴ１３８に移行する。ステップＳＴ１１６で説明書印刷確認画面の「印刷する」のキーを押さない場合は、印刷しないでステップＳＴ１３８に移行する。
【００５４】
前記ステップＳＴ１１０では、取得した商品データの医薬品区分が「３」又は「９」であるかを判断し、ノー（Ｎ）、即ち医薬品区分が「０」であったらステップＳＴ１２２に移行し、イエス（Ｙ）であったらステップＳＴ１２０に移行する。ステップＳＴ１２０では通常の商品登録をおこない、ステップＳＴ１３８に移行する。
【００５５】
前記ステップＳＴ１２２では、商品データ内の商品分類データ（商品分類番号）を取得し、ステップＳＴ１２４に移行する。ステップＳＴ１２４では、ステップＳＴ１２２で取得した商品分類番号により商品分類ファイル（図４参照）を参照し、医薬品区分「１」かを判断し、ノー（Ｎ）であったらステップＳＴ１２６に移行し、イエス（Ｙ）であったらステップＳＴ１２８に移行する。ステップＳＴ１２８では、商品データの説明書ファイルを印刷し、ステップＳＴ１３８に移行する。
【００５６】
前記ステップＳＴ１２６では、医薬品区分は「２」かを判断し、ノー（Ｎ）、即ち医薬品区分が「３」であったらステップＳＴ１３６に移行し、通常の商品登録を行い、イエス（Ｙ）であったらステップＳＴ１３０に移行する。ステップＳＴ１３０では、説明書印刷確認画面を液晶タッチパネル１１２に表示してステップＳＴ１３２に移行する。ステップＳＴ１３２において説明書印刷確認画面の「印刷する」のキーを押すと、ステップＳＴ１３４で商品データの説明書を印刷し、ステップＳＴ１３８に移行する。ステップ１３２で説明書印刷確認画面の「印刷する」のキーを押さない場合は、印刷しないでステップＳＴ１３８に移行する。
【００５７】
ステップＳＴ１３８では、続けて商品登録するかを判断しイエス（Ｙ）であれば前記ステップＳＴ１０２に移行し、上記処理を行い、ノー（Ｎ）であれば、ステップＳＴ１４０に移行する。ステップＳＴ１４０では、説明書の印刷があればそれをお客に渡して会計処理を行う。
【００５８】
次に、商品の登録以外の説明書の印刷モードについて説明する。図１０は説明書印刷モードの画面であり、図１１は説明書印刷モードの処理フローを示す図である。図１１に基いて説明書印刷モードの処理を説明する。ここで説明書印刷モードにするには、先ずメニュー画面より、販売処理装置の説明書印刷モードを選択し起動する。
【００５９】
先ず、ステップＳＴ２００にて、初期設定ファイル（図６参照）の初期設定項目Ｎｏ．０００４より、インデックスの文言に関する設定値を取得する。続いてステップＳＴ２０２では、説明書印刷モード（図１０参照）の画面を液晶タッチパネル１１２に表示する。  この説明書印刷モードの画面に「商品のバーコードをスキャナーで読み取って下さい。」の文言と、「戻る」のキーが表示される。
【００６０】
ステップＳＴ２０４では、商品のバーコードをスキャナー部１１０で読み取り、商品識別番号を認識する。ステップＳＴ２０６では、認識した商品識別番号により、商品ファイル（図３参照）から、商品データを取得する。ステップＳＴ２０８では、取得した商品データに説明書ファイル名があるかを判断し、イエス（Ｙ）の場合は、ステップＳＴ２１０に移行し、商品データの説明書を印刷する。ノー（Ｎ）の場合はステップＳＴ２１６に移行し、該ステップＳＴ２１６でエラーを表示し、前記ステップＳＴ２０４に戻る。ステップＳＴ２１２では、続けて商品の説明書を印刷するかを判断しイエス（Ｙ）であれば、前記ステップＳＴ２０４に移行し、ノー（Ｎ）であれば、ステップＳＴ２１４に移行する。
ステップＳＴ２１４では、説明書印刷モード画面（図１０参照）の「戻る」キーを押す。
【００６１】
なお、上記実施の形態例では、商品ファイル（図３参照）の説明書ファイル項目に説明書ファイル名だけを記載したが、ハードディスク部１０２のＣドライブに図１３に示すように、商品の説明書ファイルを分類するためのホルダー１（医薬品１）、２（医薬品２）、３（医薬品３）をファイルを作り、そのフォルダー名（ｐａｓｓ）をその前に付けてもよい。
【００６２】
また、ＪＡＮコードで説明したが、バーコード体系にはこだわらず、ＧＳ１等のバーコード体系でもよく、何れのバーコードでもよい。
【００６３】
また、商品の説明書のファイルはｐｄｆ形式で説明したが、ファイル形式にはこだわらず、エクセル、ワード等でもよく、何れの形式のファイル形式でもよい。
【００６４】
また、第二医薬品分類の商品登録時、図７に示すように単に説明書を「印刷する」か「印刷しない」かの、説明書印刷確認の画面を表示したが、同画面に説明書の内容を表示し、お客との対話に用いるようにしてもよい。
【００６５】
また、第一医薬品分類の商品登録時、説明書を印刷するか印刷するかの説明書印刷確認の画面を表示しないで、説明書を印刷したが、お客との対話用に、説明書の内容を液晶タッチパネル１１２や顧客用表示部１１６に表示してもよい。
【００６６】
また、第三医薬品分類の商品登録時、説明書を印刷するか印刷するかの説明書印刷確認の画面を表示しないで、説明書を印刷しなかったが、商品登録時、説明書の内容を液晶タッチパネル１１２や顧客用表示部１１６に表示してもよい。また、図１２に示すように、「印刷する」か「印刷しない」かの確認キー画面を表示してもよい。
【００６７】
また、説明書を印刷するプリンタ１２４を販売処理装置１に直接接続したが、複数台の販売処理装置をＬＡＮで接続し、該ＬＡＮにプリンタを接続し、該プリンタを複数台の販売処理装置で共有利用してよい。
【００６８】
また、図９の商品登録時の処理フローのステップＳＴ１００では、初期設定ファイル（図６参照）より、説明書のインデックス文言に関する設定値を一取引の度に取得したが、販売処理装置のシステム起動時毎に該説明書のインデックス文言に関する設定値を取得するようにしてもよい。
【００６９】
また、図１１の説明書印刷モードの処理フローのステップＳＴ２０４では、印刷した商品のバーコードをスキャナー部１１０で読み取ったが、バーコードをデータテンキーで置数してもよい。また、名前検索、商品分類検索などの検索で、商品を特定して説明書を印刷するようにしてもよい。
【００７０】
以上本発明の実施形態を説明したが、本発明は上記実施形態に限定されるものではなく、特許請求の範囲、及び明細書と図面に記載された技術的思想の範囲内において種々の変形が可能である。
【符号の説明】
【００７１】
１    販売処理装置
１００    ＣＰＵ
１０２    ハードディスク部
１０４    ＲＡＭ
１０８    レシート印字部
１０９    レシート発行口
１１０    スキャナー部
１１２    液晶タッチパネル
１１４    キー操作部
１１６    顧客用表示部
１１８    カードリーダ部
１２２    ＣＤＲＯＭ部
１２４    プリンタ
【図１】
2010170218.tif 000003
【図２】
2010170218.tif 000004
【図３】
2010170218.tif 000005
【図４】
2010170218.tif 000006
【図５】
2010170218.tif 000007
【図６】
2010170218.tif 000008
【図７】
2010170218.tif 000009
【図８】
2010170218.tif 000010
【図９】
2010170218.tif 000011
【図１０】
2010170218.tif 000012
【図１１】
2010170218.tif 000013
【図１２】
2010170218.tif 000014
【図１３】
2010170218.tif 000015